(57)【要約】【課題】互に隣接した容器にそれぞれ備えた容器貼付用シールが互に干渉した場合であっても、折れたり剥がれたりすることのない容器貼付用シールを提供する。【解決手段】商品容器の外方に一部が突出して貼付されるシールであって、容器に貼付された状態において、複数の容器のシールが互いに干渉、又はシールと外装部が干渉するシールにおいて、該シールの頂部にスリットを備えている。【選択図】図１
2018054734.tif 000002
【特許請求の範囲】
【請求項１】
商品容器の外方に一部が突出して貼付されるシールであって、容器に貼付された状態において、複数の容器のシールが互いに干渉、又はシールと外装部が干渉するシールにおいて、該シールの頂部にスリットを備えていることを特徴とする容器貼付用シール。
【請求項２】
スリットが、切込、ミシン目、罫線から選択される１種又は２種以上である、請求項１に記載の容器貼付用シール。
【請求項３】
非貼付部の頂角が１〜１７０°の二等辺三角形に内接する形状である、請求項１又は請求項２に記載の容器貼付用シール。
【請求項４】
シールが情報部が形成された裏基材と、裏基材に接着剤を介して剥離可能に接着された表基材とからなり、表基材の下端が、裏基剤の最大幅部と同一線上、若しくは裏基剤の最大幅部より上部に位置する、ことを特徴とする、請求項３に記載の容器貼付用シール。
【請求項５】
容器貼付用シールが、ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系よりなる群から選択されるプラスチック樹脂、アルミニウム箔または紙またはそれらの組合せからなる単層または多層のフィルムで作製されている請求項１〜４のいずれか１項に記載の容器貼付用シール。
【発明の詳細な説明】
【技術分野】
【０００１】
本発明は、例えば食品、日用品等の商品容器の外側に一部が突出して貼付される容器貼付用シールに関する。具体的には、複数の容器のシールが干渉、又はシールと外装部が干渉するシールにおいて、該シールが損傷したり、該シールが容器から剥離することを抑制することができる容器貼付用シールに関する。
【背景技術】
【０００２】
従来、例えば小径の筒状の容器（例えば瓶等）の飲料商品は、店頭において消費者に対する視認性及び広告効果の向上を目的として、商品ラベルが商品本体に貼付けてある。また、商品名やキャッチコピーを強調的に記載した容器貼付用シールが付加的に貼付けることが行われている（例えば特許文献１参照）。
【先行技術文献】
【特許文献】
【０００３】
【特許文献１】特開２０１２−１７７８６９号公報
【発明の概要】
【発明が解決しようとする課題】
【０００４】
しかしながら、特許文献１に記載された二層タイプのポップラベルは、表基材の剥離を防止するために、裏基材の下部まで表基材を貼付する必要があり、表基材の形状が制限されるという課題があった。また、簡便で安価な容器貼付用シールに対する市場にニーズがある。
【課題を解決するための手段】
【０００５】
本発明者らは、上記課題を解決するために鋭意検討を重ねた結果本願発明を完成するにいたった。
【０００６】
すなわち、本願発明は、次に示す容器貼付用シールを提供するものである。
「請求項１」
商品容器の外方に一部が突出して貼付されるシールであって、容器に貼付された状態において、複数の容器のシールが互いに干渉、又はシールと外装部が干渉するシールにおいて、該シールの頂部にスリットを備えていることを特徴とする容器貼付用シール。
「請求項２」
スリットが、切込、ミシン目、罫線から選択される１種又は２種以上である、請求項１に記載の容器貼付用シール。
「請求項３」
非貼付部の頂角が１〜１７０°の二等辺三角形に内接する形状である、請求項１又は請求項２に記載の容器貼付用シール。
「請求項４」
シールが情報部が形成された裏基材と、裏基材に接着剤を介して剥離可能に接着された表基材とからなり、表基材の下端が、裏基剤の最大幅部と同一線上、若しくは裏基剤の最大幅部より上部に位置する、ことを特徴とする、請求項３に記載の容器貼付用シール。
「請求項５」
容器貼付用シールが、ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系よりなる群から選択されるプラスチック樹脂、アルミニウム箔または紙またはそれらの組合せからなる単層または多層のフィルムで作製されている請求項１〜４のいずれか１項に記載の容器貼付用シール。
【発明の効果】
【０００７】
本発明によれば、商品容器の外方に一部が突出して貼付されるシールであって、容器に貼付された状態において、複数の容器のシールが互いに干渉、又はシールと外装部が干渉するシールにおいて、該シールの頂部にスリットを備えていることにより、簡便な手法で安価に、該シールが損傷したり剥離することがない、という効果を発揮する。
【０００８】
また、多層シールの場合、表基材の大きさや形状を自由に設定することができ、デザイン上の自由度が増すという効果を発揮する。
【図面の簡単な説明】
【０００９】
【図１】容器に容器貼付用シールを貼付けた状態を示す説明図である。
【図２】容器貼付用シール（ポップラベル）の構成を示す斜視説明図である。
【図３】本発明の実施形態に係るポップラベルを容器に取付けた状態を示す説明図である。
【図４】表シールと裏シールとを合せた状態を示す説明図である。
【図５】表シールの構成を示す説明図である。
【図６】裏シールの構成を示す説明図である。
【図７】ポップシールの種々の形態を示す説明図である。
【発明を実施するための形態】
【００１０】
本発明の実施形態に係る容器貼付用シール１は、図１に示すように、商品容器３の外方に一部（非貼付部）が突出して貼付されるシールであって、容器３に貼付された状態において、複数の容器のシール１が互いに干渉、又はシールと外装部が干渉するシールにおいて、該シール１の頂部にスリット５を備えている。上記スリット５としては、切込、ミシン目、罫線であってもよい。
【００１１】
前記容器貼付用シール（ポップラベル）１は、図２に示すように、柔軟性を有する表シール（表基材）９と裏シール（裏基材）１１とを貼り合わせた構成である。前記裏シール１１は、円筒状の容器３の胴部へ貼着する貼着部（基端部側）１１Ａを備えている。そして、この基端部側１１Ａには、容器から離れて突出した状態となる非貼付部としての突出部側１１Ｅとを備えている。より詳細には、前記シール１は、情報部が形成された裏基材１１と、裏基材１１に接着剤を介して剥離可能に接着された表基材９とからなり、表基材９の下端が、裏基剤１１の最大幅部と同一線上、若しくは裏基剤１１の最大幅部より上部に位置する構成である。
【００１２】
前記突出部側１１Ｅの外形は、頂角が１°〜１７０°の二等辺三角形に内接する形状に形成してある。そして、前記表シール９の形状は、裏シール１１の前記突出部側１１Ｅの形状と同一形状であって、前記表シール９と裏シール１１の頂部中央には、ポップラベル１の全長の０．５〜１０％で、１ｍｍ〜１０ｍｍのスリット５が形成してある。なお、スリット５に代えてミシン目又は罫線（山折り）とすることも可能である。
【００１３】
上記構成により、例えば、隣接する容器のポップシール１又は外装体とポップシール１が接触して干渉する場合、頂部にスリット５の加工を行っていることでポップシール１の反りによる折れ曲がり等を抑制することでポップシール１の容器からの脱落を防止する機能を有する。
【００１４】
また、前記構成においては、表シール９の一部が裏シール１１の貼着部１１Ａの部分に位置しない場合であっても、干渉による剥離や損傷を防止する効果を発揮する。したがって、表シール９の形状の自由度が大きくなる。換言すれば、表シール９を種々の形状にデザインすることが可能なものである。
【００１５】
ところで、頂角が大きくなると、隣接するポップシール１の干渉は生じ易くなるものの、頂部にスリット５が形成してあることにより、干渉を吸収し、ポップシールの浮きや剥離を防止する効果を発揮するものである。
【００１６】
さらに、前記構成においては、頂部にスリット５の切込を加工することで、隣接する容器のポップシール１および外装体とポップシール１が接触して干渉することによるポップシール１の反りによる折れ曲がりを抑制できることから、ポップシール１の容器からの脱落を防止する機能を有することにより、商品の美観を損ねることがなく、商品価値を低下することの懸念が解決され、なにより本来期待すべき広告機能が十分に発揮される。
【００１７】
図３を参照するに、図３は、本発明の実施形態に係るポップラベル１を示すものである。このポップラベル１は、例えば清涼飲料水の瓶等のように小径の筒状の容器３の外周面に貼付けるものである。前記ポップラベル１は、基端部側（貼付部）１Ａの幅寸法よりも頂部側１Ｂの幅寸法が次第に小さくなる形状である。前記ポップラベル１において、前記頂部側１Ｂにおける頂部１Ｃの中央部には、スリット５が形成してある。
【００１８】
前記ポップラベル１は、前記容器３の大径部の外周面に貼付けることにより、容器３に沿って円弧状に湾曲される。前記ポップラベル１の前記頂部側１Ｂは、基端部側１Ａの湾曲に倣って円弧状に湾曲する。そして、容器３の小径部、すなわち蓋３Ａに対応して容器３から離れた状態に突出してある。すなわち、ポップラベル１は、全体として円弧状に湾曲され、容器３に貼付けて、頂部側１Ｂは容器３から離れた状態の突出部に形成してある。したがって、容器３の小径部とポップラベル１の頂部側１Ｂとの間、すなわち容器３の蓋３Ａとの間には、円弧状の間隙７が形成されることになる。
【００１９】
上記構成において、例えば隣接した容器３に備えたポップラベル１の頂部側１Ｂが、互に干渉したり、外装体と干渉し、頂部側１Ｂに外力が作用すると、ポップラベル１の頂部側１Ｂは、前記間隙７を大きく、又は小さくする方向に湾曲変形する傾向にある。この場合、前記頂部側１Ｂの中央部にスリット５が形成してあるので、干渉時に作用した外力（干渉力）を緩和することができる。
【００２０】
したがって、隣接した容器３に備えたポップラベル１が互に干渉した際に、ポップラベル１が折れ曲がったり、容器３から剥がれることを防止できるものである。
【００２１】
ところで、前記ポップラベル１は、表シール９（図５参照）と裏シール１１（図６参照）とを貼り合せた構成である。前記裏シール１１は、頂角が１°〜１７０°の二等辺三角形に内接する形状に形成してある。そして、前記表シール９及び裏シール１１は、例えば、ポリプロピレン系、ポリエチレン系、ポリエステル系、ポリアミド系、ポリスチレン系、ポリ塩化ビニル系、ポリ塩化ビニリデン系、エチレン・酢酸ビニル共重合体系よりなる群れから選択されるプラスチック樹脂、アルミニウム箔または紙またはそれらの組合せからなる単層または多層のフィルムで作製してある。
【００２２】
ところで、本発明は、前述したごとき実施形態に限るものではなく、ポップラベルの形状としては、貼付ける容器の形状、サイズ等によって種々の形状とすることができる。すなわち、二等辺三角形に内接する形状としては、例えば図７に示すように種々の形状を採用することができる。また、スリット５は１つに限ることなく適宜に離隔して複数備えることも可能である。さらに、ポップラベルは、表シールと裏シールとを貼付けることなく、１枚のシールでもよいものである。
【符号の説明】
【００２３】
１  ポップラベル
３  容器
３Ａ  蓋
５  スリット
９  表シール
１１  裏シール
１３  貼付部
【図１】
2018054734.tif 000003
【図２】
2018054734.tif 000004
【図３】
2018054734.tif 000005
【図４】
2018054734.tif 000006
【図５】
2018054734.tif 000007
【図６】
2018054734.tif 000008
【図７】
2018054734.tif 000009